(57)【要約】【課題】  パネルを背板全体にわたって張らないで、商品載置用の支持具の高さ調整が自在にでき、専門業者による熟練の施工を要することなく、作業時間を短縮することができ、安価なコストである陳列台の棚受け用部材を提供する。【解決手段】  複数の係止孔２１を備えた左右一対の支柱２と、該支柱２の係止孔２１に係止させるフック３１を一端部に備えたブラケット３と、表面に水平方向に長尺の複数段の突条４２を有する板状部４１を備え、かつ裏面に補強部４３を備えたパネル４と、該パネル４と前記ブラケット３とを連結する係止具５とからなる【選択図】  図１
2006230544.tif 000002
【特許請求の範囲】
【請求項１】
複数の係止孔を備えた左右一対の支柱と、該支柱の係止孔に係止させるフックを一端部に備えたブラケットと、表面に水平方向に長尺の複数段の突条を有する板状部を備え、かつ裏面に補強部を備えたパネルと、該パネルと前記ブラケットとを連結する係止具とからなることを特徴とする商品陳列台の商品支持具受け用部材。
【請求項２】
前記係止具は、前記ブラケットの側部に直交して形成した係合用突出部と、前記パネルの補強部に形成した係合部とからなることを特徴とする請求項１記載の商品陳列台の商品支持具受け用部材。
【請求項３】
前記係止具は、前記ブラケットの上部に形成した係合用凹部に嵌入係合する第一嵌入部を備え、かつ前記パネルの補強部に形成した中空部に嵌入係合する第二嵌入部を備えていることを特徴とする請求項１記載の商品陳列台の商品支持具受け用部材。  
【請求項４】
前記係止具の第一嵌入部は、ブラケットの凹部に密に嵌入し得る嵌入部位の前後を大形のストッパーで囲繞して形成されていることを特徴とする請求項３記載の商品陳列台の商品支持具受け用部材。
【請求項５】
前記係止具の第二嵌入部は、先端に向かって間隔が拡大する２個の脚部にて形成されていることを特徴とする請求項３記載の商品陳列台の商品支持具受け用部材。
【発明の詳細な説明】
【技術分野】
【０００１】
本発明は、化粧品等の多種類の商品を水平方向に、かつ上下に多段にわたって見やすく陳列する陳列台の商品支持具受け用部材に関するものである。
【背景技術】
【０００２】
従来の化粧品等の商品を水平方向に、かつ上下多段に陳列する陳列台は、商品を載置する棚やカセット型商品載置台や商品を吊り下げる吊下部材がどのような高さにも掛けられるように、係止用の複数段の長尺突条を有するパネルを背板全体にわたって張ることが普通であった。前記パネルは、背板全体にわたって張らないと、棚やカセット型商品載置台や吊下部材の高さ調整が自在にできず、また、パネルに掛かる荷重に対する強度を充分に確保するためにも、広い面積に張る必要があった。パネルを陳列台に張る前処理として、パネルの下にベニヤ板等を張る必要もあった。このように、従来の陳列台は、大きな面積に張るパネルを必要とするとともに、専門業者による熟練の施工を要するので、作業時間面及びコスト面で陳列台を使用する販売店にとって大きな負担となっていた。
【０００３】
また、例えば特許文献１では、複数の係止孔を備えた左右一対の支柱に、該支柱の係止孔に係止させるフックを一端部に備えたブラケットを取り付け、その上に商品陳列用の棚等を載置した商品陳列棚が提案されている。
【特許文献１】特開２００３−１４４２７９号公報
【０００４】
しかしながら、この種の商品陳列棚は、ブラケットに直接に商品陳列用の棚等を取り付けるので、商品陳列用の棚等の高さ調整をするには、ブラケットを支柱の係止孔から取り外して支柱の他の係止孔に係止する必要があり、煩雑であって、しかも支柱の係止孔の数にも支柱の安定性の面などで限界があり、簡易な高さの微調整に欠ける欠点があった。しかもカセット型商品載置台や吊下部材が左右所望の位置に取り付けられないなどの欠点もあった。
【発明の開示】
【発明が解決しようとする課題】
【０００５】
本発明は、かかる現状に鑑み、化粧品等の多種類の商品を水平方向に、かつ上下に多段にわたって見やすくなるように、商品に応じて最適の棚やカセット型商品載置台や吊下部材を選択して陳列することができるという汎用性を備えており、しかも、パネルを背板全体にわたって張らないで、パネルによる美観の低下を未然に防止するとともに、商品載置用の支持具の高さなどの微調整が自在にでき、専門業者による熟練の施工を要することなく、作業時間を短縮することができ、安価なコストであって、陳列台を使用する販売店にとって非常に有用である陳列台の棚受け用部材の提供を目的とするものである。
【課題を解決するための手段】
【０００６】
本発明は上記の目的を達成するものであって、請求項１の発明は、複数の係止孔を備えた左右一対の支柱と、該支柱の係止孔に係止させるフックを一端部に備えたブラケットと、表面に水平方向に長尺の複数段の突条を有する板状部を備え、かつ裏面に補強部を備えたパネルと、該パネルと前記ブラケットとを連結する係止具とからなることを特徴とする商品陳列台の商品支持具受け用部材である。
【０００７】
請求項２の発明は、前記係止具は、前記ブラケットの側部に直交して形成した係合用突出部と、前記パネルの補強部に形成した係合部とからなることを特徴とする請求項１記載の商品陳列台の商品支持具受け用部材である。
【０００８】
請求項３の発明は、前記係止具は、前記ブラケットの上部に形成した係合用凹部に嵌入係合する第一嵌入部を備え、かつ前記パネルの補強部に形成した中空部に嵌入係合する第二嵌入部を備えていることを特徴とする請求項１記載の商品陳列台の商品支持具受け用部材である。
【０００９】
請求項４の発明は、前記係止具の第一嵌入部は、ブラケットの凹部に密に嵌入し得る嵌入部位の前後を大形のストッパーで囲繞して形成されていることを特徴とする請求項３記載の商品陳列台の商品支持具受け用部材である。
【００１０】
請求項５の発明は、前記係止具の第二嵌入部は、先端に向かって間隔が拡大する２個の脚部にて形成されていることを特徴とする請求項３記載の商品陳列台の商品支持具受け用部材である。
【発明の効果】
【００１１】
本発明によれば、化粧品等の多種類の商品を水平方向に、かつ上下に多段にわたって見比べやすく、しかも美観的に陳列することが可能であり、例えばブラケットの長さを変えることにより、下の棚等を前方に配置させて下の棚等の商品をも見易くすることができ、また、陳列する商品に応じて最適の棚やカセット型商品載置台や吊下部材のいずれかを選択して陳列することができる。また、パネルを背板全体にわたって張らないことにより、パネルによる美観の低下を未然に防止するとともに、商品載置用の支持具の高さなどの微調整が自在にでき、専門業者による熟練の施工を要することなく、作業時間を短縮することができ、安価なコストであって、陳列台を使用する販売店にとって非常に有用である。
とりわけ、化粧品の陳列においては、商品が小ぶりなことから、商品換えに応じて棚板の高さを頻繁に微調整する必要があり、また商品売上が陳列台の美観によって大きく左右されることから、本発明による陳列台は販売店にとって大きな利点となる。
【００１２】
パネルは部分パネル型であるため、材料費が従来の全面パネル型より安価であり、しかも商品の背景部分にパネルがほとんど現れないため、背景部分の選択の幅が広がり、最適の美観の優れた背景を採用することができるという利点がある。均一な奥行き長さの棚板やカセット型商品載置台や商品吊下フックなどを使用しながら、下方側の棚等を前面に迫り出させることが容易である。従来のような背板全体にパネルを張る場合には、数個のパネルを組み合わせて一面とするが、この場合にはパネル毎の微妙な塗装のバラツキが目立つが、本発明では、部分パネルを使用するため、塗装の調整が不要となるという専門的に不可欠の要請を満足させることができる利点がある。
【発明を実施するための最良の形態】
【００１３】
以下、本発明をその実施例である図面にしたがって具体的に説明する。
図１〜図１１において、１は本発明の商品陳列台の商品支持具受け用部材であって、該商品支持具受け用部材１は、左右一対の支柱２とブラケット３とパネル４と係止具５とで主として形成されてなるものである。
【００１４】
左右一対の支柱２は、図１に示すように、前面に上下方向に複数の係止孔２１を備えており、上下方向の所望の位置に２以上のブラケット３のフック３１を係止することが可能である。また、左右方向には１個の係止孔２１が形成されていれば良いが、２個以上の係止孔２１が形成されている場合には、所望の位置に係止させることができる。係止孔２１の形状は、ブラケット３のフック３１が安定に係止しやすい縦長の形状が望ましいが、これに限らない。支柱２の数は必要に応じて左右に２以上であっても良い。
【００１５】
ブラケット３は、図 1、図２に示すように、支柱２の係止孔２１に係止させるフック３１を一端部に備えている。フック３１の形状は下向きフックであることが安定性の点で望ましいが、これに限らない。フック３１の個数は１個でも良いが、安定性を確保するためには上下方向に２個以上であることが望ましい。フック３１の厚みは係止孔２１の横幅と略同一であることが望ましい。ブラケット３はそれぞれ各支柱２に取り付けられるが、商品を陳列する棚やカセット型商品載置台や商品吊下用フックなどの支持具の数に応じて複数個のブラケット３が支柱２に係止される。複数個のブラケットを使用する場合には、各ブラケットの長さは、均等な長さとすることもできるが、下方の商品が見えやすいように、下方のブラケット３の奥行きの長さが次第に長くなるように変化させることが可能である。
【００１６】
パネル４は、図４〜図７に示すように、表面には水平方向に長尺の複数段の突条４２を有する板状部４１を備え、かつ裏面には補強部（コ字状又は中空部）４３を備えている。この突条４２に、商品陳列用棚やカセット型商品載置台の後方に形成した係止具や商品吊下用フックの係止具を陳列する商品に応じて最適なものを選択して係止することができる。突条４２は複数段に形成されているので、支柱２の他の係止孔にブラケット３を係止し直すことなく、陳列する商品に応じて適宜に簡易に高さの微調整が可能である。なお、パネル４は商品係止用部材として機能を追求するものであって、美観に優れているとはいえないものであるが、本発明では上下方向には間欠的に使用されるので、商品陳列用棚や商品吊下用フックや商品などによってほとんど見えなくなるため、従来のように上下方向にわたって見えていた場合のような美観を害することがなく、後方の美観の良好な背景が見え、商品の美観を強調することができることとなった。
【００１７】
係止具５は、ブラケット３とパネル４とを連結するための部材であって、各種の形状のものとすることができ、独立の部材としても、他の部材の付属部材としても形成することができる。後者の前記係止具５としては、図１に示すように、ブラケット３の側部に略直交して形成した係合用突出部５５と、パネル４の補強部４３に形成した係合部４４とから形成することができる。
【００１８】
独立の係止具５としては、図３に示すように、ブラケット３の係止用凹部３２に上下方向に嵌入させる第一嵌入部５１とパネル４の補強部（中空部）４３に水平方向に嵌入させる第二嵌入部５２とを備えている嵌入係止具が望ましい。ブラケット３の係止用凹部３２には、係止具５に形成した第一嵌入部５１を上下方向に密に嵌入係止するとともに、パネル４の補強部（中空部）４３の両端部には、係止具５の第二嵌入部５２を水平方向に密に嵌入係止することにより、ブラケット３とパネル４とを安定に連結することができる。このように、係止具５の第一嵌入部５１と第二嵌入部５２との嵌入方向が直交しているため、ブラケット３とパネル４とを安定に連結することができる。
【００１９】
なお、上記の独立の係止具５を使用する場合には、ブラケット３の上部には、係止具５の第一嵌入部５１を係止する係止用凹部３２を備えていることが必要である。係止用凹部３２の形状は、ブラケット３と嵌入係止具５との安定した連結を確保するためには、上下方向に長尺のＵ字状であることが望ましく、係止用凹部３２の位置は、フック３１のある端部と反対側の端部近傍であることが望ましい。さらに、補強部４３は、パネル４の強度を向上させて商品の不測の荷重の変動に対して十分な耐久性を示すのみならず、係止具５の第二嵌入部５２の密な嵌入によりブラケット３との十分な連結を確保することができる。
【００２０】
係止具５の第一嵌入部５１は、ブラケット３の係止用凹部３２に密に嵌入し得る嵌入部位の前後を大形のストッパー５３で囲繞して形成されているので、脱離することがない。係止具５の第二嵌入部５２は、先端に向かって間隔が拡大する２個の脚部５４にて形成されているので、脱離することがない。
【００２１】
本発明の商品支持具受け用部材を使用することにより、図８〜図１１に示すように棚板６やカセット型商品載置台７や吊下部材８、カセットハンガー９などをパネル４の所望の突条４２を選択して所望の位置に簡易に係止することができる。
【図面の簡単な説明】
【００２２】
【図１】本発明の商品支持具受け用部材の実施例を示す展開図である。
【図２】本発明の商品支持具受け用部材を構成するブラケットの実施例を示す斜視図である。
【図３】本発明の商品支持具受け用部材を構成する嵌入係止具の実施例を示す斜視図である。
【図４】本発明の商品支持具受け用部材を構成するパネルの実施例を示す正面図である。
【図５】図４のパネルを後方から見た斜面図である。
【図６】本発明の商品支持具受け用部材を構成するパネルの他の実施例を示す側面図である。
【図７】本発明の商品支持具受け用部材を構成するパネルの他の実施例を示す側面図である。
【図８】本発明のパネルにカセット型商品載置台を係止した側面図である。
【図９】本発明のパネルに棚を係止した側面図である。
【図１０】本発明のパネルにカセットハンガーを係止した側面図及びカセットハンガーの実施例を示す側面図である。
【図１１】本発明のパネルに吊下部材を係止した側面図である。
【符号の説明】
【００２３】
１    商品支持具受け用部材
２    支柱
２１  係止孔
３    ブラケット
３１  フック
３２  係止用凹部
４    パネル
４１  板状部
４２  突条
４３  中空部
４４  係合部
５    嵌入係止具
５１  第一の嵌入部
５２  第二の嵌入部
５３  ストッパー
５４  脚部
５５  係合用突出部
６    棚
７    カセット型商品載置台
８    吊下部材
９    カセットハンガー
【図１】
2006230544.tif 000003
【図２】
2006230544.tif 000004
【図３】
2006230544.tif 000005
【図４】
2006230544.tif 000006
【図５】
2006230544.tif 000007
【図６】
2006230544.tif 000008
【図７】
2006230544.tif 000009
【図８】
2006230544.tif 000010
【図９】
2006230544.tif 000011
【図１０】
2006230544.tif 000012
【図１１】
2006230544.tif 000013